(57)【特許請求の範囲】
【請求項１】
フロントパネル(101)を引き出し側壁(100)に固定するための固定装置(1)であって、
当該固定装置は、
フロントパネル(101)に予め取り付けられるべき少なくとも１つの家具固定具(20)であって、当該家具固定具は、フロントパネル(101)から突出する少なくとも１つの脚部(21,22)と、その脚部(21,22)に対して横に延びるピン(23)とを有し、前記脚部(21,22)は自由端(26)を有している、家具固定具(20)、並びに、
引き出し側壁(100)に取り付けられるべきキャッチデバイス(10)であって、
当該キャッチデバイスは、そのキャッチデバイス(10)内に押し込まれるべき前記家具固定具(20)を受け入れて自動的に保持するように構成されており、
当該キャッチデバイスは、キャッチ開口(14)を有する移動可能なバネ荷重式のキャッチ要素(11)を有しており、前記バネ荷重式のキャッチ要素(11)は、前記ピン(23)を保持すべく前記キャッチ開口(14)内へのピン(23)の挿入によって始動され得るものであり、
当該キャッチデバイスは、ガイドプレート(12)を有しており、前記キャッチ要素(11)がそのガイドプレート(12)に沿って移動可能であり、前記ガイドプレート(12)は、該ガイドプレートのサイドにおいて、前記家具固定具(20)に当接するように構成された少なくとも１つの偏向要素(4,5,6,7,8,9)を有してなる、キャッチデバイス(10)、
を備えてなる固定装置(1)において、
前記少なくとも１つの偏向要素(4,5,6,7,8,9)は、前記ガイドプレート(12)から横方向に突出する突起(44,45,46,47,48,49)の形態をなしており、
前記家具固定具(20)が前記キャッチデバイス(10)内に挿入されるとき、前記偏向要素(4,5,6,7,8,9)は、前記キャッチ要素(11)のキャッチ開口(14)内への前記家具固定具(20)のピン(23)の移動を許容しつつ、前記家具固定具(20)の脚部(21,22)の自由端(26)が前記キャッチ要素(11)に接触するのを防止する、ことを特徴とする固定装置。
【請求項２】
前記少なくとも１つの突起(44,45,46,47,48,49)は、ノブとして形成されている、
ことを特徴とする請求項１に記載の固定装置。
【請求項３】
前記横方向に突出する突起(44,45,46,47,48,49)は、前記キャッチ要素(11)の厚み以上の高さを有している、
ことを特徴とする請求項１又は２に記載の固定装置。
【請求項４】
少なくとも２つの偏向要素(4,5,6,7,8,9)が、前記ガイドプレート(12)に設けられている、
ことを特徴とする請求項１〜３のいずれか一項に記載の固定装置。
【請求項５】
前記キャッチ要素(11)は、プレート形状に形成されると共に前記ガイドプレート(12)に対して平行であり、そして、前記ガイドプレート(12)に沿ってスライドする、
ことを特徴とする請求項１〜４のいずれか一項に記載の固定装置。
【請求項６】
前記キャッチ要素(11)は、回転軸線（Ａ）の周りで旋回可能に設けられている、
ことを特徴とする請求項１〜５のいずれか一項に記載の固定装置。
【請求項７】
当該固定装置(1)は、２つのキャッチ要素(11,11’)を有し、その２つのキャッチ要素は、プレート形状に形成されると共に前記ガイドプレート(12)に対して平行であり、そして、前記ガイドプレート(12)の両側面において前記ガイドプレート(12)に沿ってスライドする、
ことを特徴とする請求項１〜６のいずれか一項に記載の固定装置。
【請求項８】
前記少なくとも２つの偏向要素(4,5,6,7,8,9)が、前記ガイドプレート(12)の両側面に設けられている、
ことを特徴とする請求項１〜７のいずれか一項に記載の固定装置。
【請求項９】
当該固定装置(1)は、前記キャッチデバイス(10)からの家具固定具(20)の意図的な解放を許容するキャッチデバイス(10)用のアンロック装置(40)を有しており、
前記アンロック装置(40)は、前記キャッチ要素(11)および前記家具固定具(20)のピン(23)を解放する、ことを特徴とする請求項１〜８のいずれか一項に記載の固定装置。
【請求項１０】
前記アンロック装置(40)は、工具用の工具受容手段(42)を有しており、その工具受容手段は外側からアクセス可能であり、これを介して前記アンロック装置(40)が作動可能である、ことを特徴とする請求項９に記載の固定装置。
【請求項１１】
当該固定装置(1)は、前記フロントパネル(101)に予め取り付けられるべき前記家具固定具(20)に対する高さ調節装置(50)及び／又は横方向調節装置(60)を有している、
ことを特徴とする請求項１〜１０のいずれか一項に記載の固定装置。
【請求項１２】
前記フロントパネル(101)に向いている前記家具固定具(20)のリヤ面(25)から前記家具固定具(20)の脚部(21,22)の自由端(26)までの間隔が、前記フロントパネル(101)に向いている前記家具固定具(20)のリヤ面(25)から前記家具固定具(20)のピン(23)までの間隔よりも大きい、ことを特徴とする請求項１〜１１のいずれか一項に記載の固定装置。
【請求項１３】
引き出し側壁(100)であって、
請求項１〜１２のいずれか一項に記載の、フロントパネル(101)を引き出し側壁(100)に固定するための固定装置(1)を少なくとも１つ備えてなる、ことを特徴とする引き出し側壁。
【請求項１４】
引き出し(102)であって、
請求項１３に記載の引き出し側壁(100)を少なくとも１つ備えてなる、ことを特徴とする引き出し。
【請求項１５】
家具製品(110)であって、
請求項１４に記載の引き出し(102)を少なくとも１つ備えてなる、ことを特徴とする家具製品。
【発明の詳細な説明】
【技術分野】
【０００１】
本発明は、フロントパネルを引き出し、特に引き出しの側壁に固定するための固定装置に関する。この固定装置は、フロントパネルに予め取り付けられた少なくとも１つの家具固定具(furniture fitting)と、引き出しと関連付けられたキャッチデバイスとを備えている。ここで、前記家具固定具は、フロントパネルから突出する少なくとも１つの脚部と、その脚部に対して横に延びるピンとを有している。また、家具固定具が押し込まれたとき、前記キャッチデバイスが家具固定具を自動的に保持すると共に、キャッチデバイスは、前記ピンによって始動（起動）されて該ピンを保持することができる移動可能なバネ荷重式（バネ仕掛け）のキャッチ要素を有しており、そのキャッチ要素はガイドプレートに沿って移動可能なものである。
【０００２】
本発明は更に、そのような固定装置を有する引き出し側壁、そのような引き出し側壁を有する引き出し、及び、そのような引き出しを少なくとも１つ有する家具製品に関するものである。
【背景技術】
【０００３】
フロントパネルを引き出しに固定するための固定装置は、従来から数多く知られている。それらの固定装置は、引き出しの素早い組み立てに役立つと共に、それに加えて通常の場合には、引き出しを再度分解すべく再び取り外され（又は解除され）得るような設計構造を備えている。その場合において、しはしば生じる不都合は、キャッチデバイスが誤って始動され、その場合に家具固定具のピンが、キャッチデバイスのキャッチ要素にまだ収容（又は順応）されていないという点にある。
【先行技術文献】
【特許文献】
【０００４】
【特許文献１】（特になし）
【発明の概要】
【発明が解決しようとする課題】
【０００５】
本発明の目的は、従来技術を超えて改良されているところの、フロントパネルを引き出しに固定するための固定装置を提供することにある。
【課題を解決するための手段】
【０００６】
上記の目的は、請求項１に記載の特徴を有する固定装置によって達成される。
【０００７】
「ガイドプレートには、フロントパネルに予め取り付けられた家具固定具に対向する少なくとも１つの偏向要素が設けられており、その偏向要素（のいくつか）が、横方向に突出する突起の形態、より好ましくはノブの形態をなしている」との事実は、即ち、
「既設の家具固定具が前記偏向要素によって変更されて、家具固定具（より具体的には、家具固定具の脚部）がバネ荷重式（バネ仕掛け）のキャッチ要素を始動することができないために、キャッチデバイスの誤った始動を防止可能になること」を意味する。
【０００８】
本発明の更に有利な実施形態は、添付の特許請求の範囲において定義されている。
【０００９】
好ましくは、前記横方向に突出する突起は、前記キャッチ要素の厚み以上の高さを有している。
【００１０】
特に好ましくは、前記ガイドプレートの幅と合体した前記横方向に突出する突起の高さは、前記家具固定具の内部空間の幅以上である。
【００１１】
前記偏向要素（のいくつか）がノーズ（鼻）の形態をなすことは、特に有利であることがわかっている。
【００１２】
特に好ましくは、少なくとも２つ（好ましくは、３つ以上）の偏向要素が、前記ガイドプレートに設けられている。
【００１３】
好ましい実施形態では、少なくとも２つの偏向要素がノーズ（鼻）の形態をなしており、少なくとも２つ（好ましくは、３つ以上）の偏向要素が、横方向に突出する突起の形態、好ましくはノブの形態をなしている。
【００１４】
加えて、好ましくは、前記キャッチ要素は、プレート形状に形成されると共に前記ガイドプレートに対して平行であり、そして好ましくは、前記ガイドプレートに沿ってスライドする。
【００１５】
前記キャッチ要素がその自由端においてキャッチ開口を有していることは、特に有利であることがわかっている。
【００１６】
好ましい実施形態では、前記キャッチ要素は、回転軸線の周りで旋回可能に設けられている。
【００１７】
固定装置が２つのキャッチ要素を有し、その２つのキャッチ要素が、プレート形状に形成されると共に前記ガイドプレートに対して平行であり、そして好ましくは、前記ガイドプレートの両サイドにおいて前記ガイドプレートに沿ってスライドすることは、特に有利であることがわかっている。
【００１８】
この点で特に好ましくは、前記少なくとも２つ（好ましくは、３つ以上）の偏向要素が、前記ガイドプレートの両サイドに設けられている。
この点で特に好ましくは、前記ガイドプレートの幅を併せた、当該ガイドプレートの両サイドに突出する突起の全高が、家具固定具の内部空間の幅以上である。
【００１９】
固定装置が、前記キャッチデバイスからの家具固定具の意図的な解放を許容するキャッチデバイス用のアンロック装置を有しており、そのアンロック装置が、前記キャッチ要素および前記家具固定具のピンを解放することは、特に有利であることがわかっている。
【００２０】
好ましい実施形態では、前記アンロック装置は、ツール（工具）用の工具受容手段を有しており、その工具受容手段は外側からアクセス可能であり、これを介して前記アンロック装置が作動可能である。
【００２１】
固定装置が、前記フロントパネル上の家具固定具用の高さ調節装置及び／又は横方向調節装置を有することは、有利であることがわかっている。
【００２２】
前記フロントパネルに向いている前記家具固定具のリヤ面から前記家具固定具の脚部の自由端までの間隔が、前記フロントパネルに向いている前記家具固定具のリヤ面から前記家具固定具のピンまでの間隔よりも大きいことは、有利であることがわかっている。
【００２３】
保護はまた、記載された実施形態の少なくとも１つによる、フロントパネルを引き出しに固定するための固定装置を少なくとも１つ備えてなる引き出し側壁についても要求されている。
【００２４】
前記家具固定具のピンが前記キャッチデバイスのラッチ受け入れ手段にラッチするところのラッチ位置(latching position)は、前記引き出し側壁のフロントエッジに対する間隔が１５ｍｍ未満、好ましくは１０ｍｍ未満のところにあることは、特に有利であることがわかっている。
【００２５】
特に好ましくは、前記引き出し側壁のフロントエッジから前記ラッチ位置までのラッチ行程(latching travel)が、１５ｍｍ未満、好ましくは１０ｍｍ未満である。
【００２６】
前記家具固定具のピンが前記キャッチデバイスのキャッチ要素のキャッチ開口内に収まるところの導入位置(introduction position)は、引き出し側壁のフロントエッジに対する間隔が２５ｍｍ未満、好ましくは１０ｍｍ未満のところにあることは、特に有利であることがわかっている。
【００２７】
好ましい実施形態では、前記引き出し側壁(100)のフロントエッジ(200)から前記導入位置(202)までの導入行程(introduction travel)が、２５ｍｍ未満、好ましくは１０ｍｍ未満である。
【００２８】
前記家具固定具のピンが前記キャッチデバイスのキャッチ要素を始動するところの始動位置(triggering position)は、引き出し側壁のフロントエッジに対する間隔が２５ｍｍ未満、好ましくは１０ｍｍ未満のところにあることは、有利であることがわかっている。
【００２９】
前記導入位置から前記始動位置までの始動距離（始動行程）(triggering travel)が１．５ｍｍよりも大きく、好ましくは２．５ｍｍよりも大きいことは、有利であることがわかっている。
【００３０】
加えて好ましくは、前記家具固定具のピンが前記キャッチデバイスのキャッチ要素によって該キャッチデバイス内に引き込まれるところの閉鎖位置(closure position)は、引き出し側壁のフロントエッジに対する間隔が３０ｍｍ未満、好ましくは２０ｍｍ未満のところにある。
【００３１】
前記始動位置から前記閉鎖位置までの閉鎖距離（閉鎖行程）(closure travel)が、６ｍｍよりも大きく、好ましくは７ｍｍよりも大きいことは、特に有利であることがわかっている。
【００３２】
特に好ましくは、前記家具固定具のピンが前記キャッチデバイスのキャッチ要素によって前記閉鎖位置を超えて該キャッチデバイス内に引き込まれるところの閉鎖保留位置(closure reserve position)は、引き出し側壁のフロントエッジに対する間隔が３０ｍｍ未満、好ましくは２０ｍｍ未満のところにある。
【００３３】
前記閉鎖位置から前記閉鎖保留位置までの閉鎖保留距離（閉鎖保留行程）(closure reserve travel)が、２ｍｍ未満、好ましくは１ｍｍ未満であることは、特に有利であることがわかっている。
【００３４】
保護はまた、記載された実施形態の少なくとも１つで述べられているような引き出し側壁を少なくとも１つ有する引き出しについても要求されている。
【００３５】
具体的には保護はまた、記載された実施形態の１つで述べられているような、固定装置付きの引き出しを少なくとも１つ有する家具製品についても要求されている。
【００３６】
本発明の更なる詳細及び利点は、図面に示された実施形態を参照した具体的な説明によって、以下に、更に十分に記述されている。
【図面の簡単な説明】
【００３７】
【図１ａ】引き出し付き家具製品の斜視図を示す。
【図１ｂ】引き出し付き家具製品の斜視図を示す。
【図２ａ】引き出し側壁の斜視図を示す。
【図２ｂ】引き出し側壁の斜視図を示す。
【図３ａ】固定装置の斜視図を示す。
【図３ｂ】図３ａの固定装置の別の斜視図を示す。
【図４ａ】家具固定具が偏向要素(deflection element)にもたれた状態の固定装置の斜視図を示す。
【図４ｂ】図４ａの詳細図を示す。
【図５ａ】家具固定具が別の偏向要素(deflection element)にもたれた状態の固定装置の斜視図を示す。
【図５ｂ】図５ａの詳細図を示す。
【図６】固定装置の分解斜視図を示す。
【図７ａ】図７ａ〜７ｆは、従来例における、キャッチデバイスに対する家具固定具の異なる位置での固定動作の見取り図を示す。
【図７ｂ】図７ａ〜７ｆは、従来例における、キャッチデバイスに対する家具固定具の異なる位置での固定動作の見取り図を示す。
【図７ｃ】図７ａ〜７ｆは、従来例における、キャッチデバイスに対する家具固定具の異なる位置での固定動作の見取り図を示す。
【図７ｄ】図７ａ〜７ｆは、従来例における、キャッチデバイスに対する家具固定具の異なる位置での固定動作の見取り図を示す。
【図７ｅ】図７ａ〜７ｆは、従来例における、キャッチデバイスに対する家具固定具の異なる位置での固定動作の見取り図を示す。
【図７ｆ】図７ａ〜７ｆは、従来例における、キャッチデバイスに対する家具固定具の異なる位置での固定動作の見取り図を示す。
【図８ａ】図８ａ〜８ｇは、キャッチデバイスに対する家具固定具の異なる位置での固定動作の見取り図を示す。
【図８ｂ】図８ａ〜８ｇは、キャッチデバイスに対する家具固定具の異なる位置での固定動作の見取り図を示す。
【図８ｃ】図８ａ〜８ｇは、キャッチデバイスに対する家具固定具の異なる位置での固定動作の見取り図を示す。
【図８ｄ】図８ａ〜８ｇは、キャッチデバイスに対する家具固定具の異なる位置での固定動作の見取り図を示す。
【図８ｅ】図８ａ〜８ｇは、キャッチデバイスに対する家具固定具の異なる位置での固定動作の見取り図を示す。
【図８ｆ】図８ａ〜８ｇは、キャッチデバイスに対する家具固定具の異なる位置での固定動作の見取り図を示す。
【図８ｇ】図８ａ〜８ｇは、キャッチデバイスに対する家具固定具の異なる位置での固定動作の見取り図を示す。
【発明を実施するための形態】
【００３８】
図１ａは、家具製品１１０の斜視図を示す。この場合、家具製品１１０は、家具カーカス（家具の枠組み体）１０３及び３つの引き出し１０２を有している。引き出し１０２は、引き出し側壁１００と、これら側壁に固定されるフロントパネル（前面板）１０１とを有している。この構成では、フロントパネル１０１は、固定装置（ここでは図示略）によって引き出し１０２の側壁１００に固定された。
【００３９】
図１ｂは図１ａに示す家具製品１１０を示し、そこでは、最上段のフロントパネル１０１はまだ、引き出し１０２、即ちその２つの引き出し側壁１００に固定されていない。
【００４０】
この実施形態では、フロントパネル１０１を引き出し側壁１００に固定するところの、予め取り付けられた４個の家具固定具２０をフロントパネル１０１上に見て取ることができる。
【００４１】
図２ａ及び２ｂは、固定装置１が配設された引き出し側壁１００の斜視図を示す。この場合、キャッチデバイス１０が引き出し側壁１００内に設けられており、このキャッチデバイス１０は、家具固定具２００をキャッチしてフロントパネル１０１（ここでは図示略）を連結し、普段は家具固定具２００が引き出し側壁１００に取り付けられる。
【００４２】
図３ａは、固定装置１の斜視図を示し、固定装置１は、通常、引き出し側壁１００（ここでは図示略）内に配置されているキャッチデバイス１０と、通常、フロントパネル１０１（ここでは図示略）に予め固定されている家具固定具２０とを備えている。
【００４３】
フロントパネル１０１を整列させるために、キャッチデバイス１０は、高さ調節装置５０と、横方向調節装置６０とを有している。
【００４４】
固定済みの家具固定具２０をキャッチデバイス１０からアンロック（ロック解除）するために、キャッチデバイス１０は、キャッチデバイス１０からの家具固定具２０の意図的な解除（取り外し）を許容するアンロック装置４０を有しており、その場合には、アンロック装置４０はキャッチデバイス１０のキャッチ要素１１を解除（解放）し、それにより家具固定具２０のピン２３を解除（解放）する。この好ましい実施形態では、アンロック装置４０は、外側からアクセス（接近）可能な工具受容手段２２（正しくは４２）を具備しており、これによってアンロック装置４０はツール（工具）によって作動され得る。
【００４５】
フロントパネル１０１を引き出し１０２、特に引き出し側壁１００に固定するための固定装置１は、本実施形態では、フロントパネル１０１に予め取り付けられている少なくとも１つの家具固定具２０と、引き出し１０２（図示略）と関連付けられたキャッチデバイス１０とを有している。ここで、家具固定具２０は、フロントパネル１０１から突出する少なくとも１つの脚部２１，２２と、脚部２１又は２２のそれぞれに対して横方向に延びるピン２３とを有している。ここで、キャッチデバイス１０は、それが押し込まれたときに家具固定具２０を自動的に保持する。また、キャッチデバイス１０は、ピン２３によって始動され得て且つピン２３を保持するところの移動可能なバネ荷重式の（バネ仕掛けの）キャッチ要素１１を有している。キャッチ要素１１はガイドプレート１２に沿って移動可能である。フロントパネル１０１と関連付けられているところの、ガイドプレート１２のサイド（片側）１３には、少なくとも１つの偏向要素(deflection element)２（この好ましい実施形態では、複数の偏向要素２，３，４，５，６，７，８及び９）が、フロントパネル１０１に予め取り付けられた家具固定具２０に対向して設けられている。
【００４６】
この好ましい実施形態では、２つの偏向要素２，３は鼻（ノーズ）３２，３３の形態をなしており、家具固定具２０（即ち家具固定具２０のピン２３）のキャッチデバイス１０内への導入を容易にしている。
【００４７】
更に別の偏向要素４，５，６（又は図３ｂでの、７，８及び９）は、この場合、横方向に突出する突起４４，４５，４６，４７，４８，４９の形態をなしている。
【００４８】
この好ましい実施形態では、横方向に突出する突起４４，４５，４６，４７，４８，４９は、ノブの形態でもある。それらが脚部またはその類似形状の形態であることも想定されるところであることは理解されよう。その点に関して唯一重要な考慮事項は、それらがガイドプレート１２から横方向に突出しており、かくして、家具固定具２０がキャッチデバイス１０に正確にフィットされない場合（それに関しては図４ａ，４ｂ，５ａ，５ｂ参照）に起こり得るであろう、家具固定具２０の脚部２１，２２によるキャッチ要素１１の誤った始動を防止することができることにある。
【００４９】
キャッチ要素１１の誤った始動（誤作動）を排除すべく、横方向に突出する突起４４，４５，４６，４７，４８，４９は、平らな板形状のキャッチ要素１１の厚さと少なくとも同じ大きさの高さを有している。
【００５０】
この実施形態では、板形状のキャッチ要素１１は、ガイドプレート１２に対して平行であり、ガイドプレート１２に沿ってスライドする。
【００５１】
この場合、フロント領域では、キャッチ要素１１はその自由端においてキャッチ開口１４を有しており、その開口内に家具固定具２０のピン２３が導入される。
【００５２】
この好ましい実施形態では、ガイドプレート１２の両サイドでスライド可能な２つのキャッチ要素１１，１１’が存在する（キャッチ要素１１’は図３ｂ，図６を参照）。両サイドでの誤った始動を防止するために、横方向に突出する突起４４，４５，４６，４７，４８，４９がガイドプレート１２の両サイドに設けられており、これらは、家具固定具２０の脚部２１及び２２がキャッチ要素１１及び１１’と接触するのを防止し、このことで誤った始動が防止される。
【００５３】
図３ｂは、図３ａに示された固定装置の別角度からの斜視図を示す。そのリヤサイドに第２のキャッチ要素１１’を見て取ることができる。家具固定具２０の脚部２１又は２２によるバネ荷重式キャッチ要素１１’の不正確な始動が起きないように、ガイドプレート１２は３つの偏向要素７，８及び９を支持しており、この好ましい実施形態では、３つの偏向要素は、横方向に突出する突起４７，４８及び４９の形態をなしている。さもなくば、図３ａに関する前述の説明が、ここでも相応に当てはまる。
【００５４】
図４ａ及びその詳細である図４ｂは、本実施形態では横方向に突出する突起４４の形態をなす偏向要素４に対して脚部２１がもたれかかる限りにおいて、家具固定具２０の脚部２１によるキャッチ要素１１の誤った始動を偏向要素４がどのように防止するかに関する斜視図を示しており、かくして、脚部２１は偏向要素４の後ろを通過できず、その結果として、脚部２１によるキャッチ要素１１との接触が防止され得る。
【００５５】
このように、キャッチ要素１１の下方向からの家具固定具２０による誤った始動は、可能ではない。
【００５６】
図５ａ及びその詳細である図５ｂは、上方からの家具固定具２０による誤った始動を偏向要素６がどのように防止するかを表す斜視図を示しており、家具固定具の脚部２１が、横方向に突出する突起４６の形態をなす偏向要素６を通過できないために、脚部２１はキャッチ要素１１に接触できない。
【００５７】
家具固定具２０のこの視角からは、フロントパネルに向いている家具固定具２０のリヤ面２５から脚部２１及び２２の自由端２６までの間隔が、フロントパネルに向いている家具固定具２０のリヤ面２５からピン２３までの間隔よりも大きい、ことがはっきりと見て取れる。このため、脚部２１及び２２は、ピン２３よりも更にキャッチデバイス１０の中に入り込む。そのことが、脚部２１及び２２がピン２３以前にキャッチデバイス１０内に入り込むときに脚部２１及び２２による誤った始動効果が起こり得る理由である。
【００５８】
誤った始動効果を回避し得る更なる理由は、ガイドプレート１２の幅を併せた（幅を含めた）ガイドプレート１２の両サイドに突出する（左右）二つの突起４４，４５，４６，４７，４８，４９の全高が、家具固定具２０の内部空間の幅と少なくとも同じ大きさ（つまり内部空間幅以上）であることである。結果として、家具固定具２０は、突出している突起４４，４５，４６，４７，４８，４９を通り過ぎることができない。この実施形態では、家具固定具２０の内部空間幅は、ピン２３の長さにほぼ対応しており、それは一方の脚部２１から他方の脚部２２まで延びている。
【００５９】
更なる実施形態においては、横方向に突出する突起（複数）がガイドプレート１２の一方の側にだけ設けられることもあり得ること、その場合には、誤った始動を防止するためには、ガイドプレート１２の幅を併せた（幅を含めた）横方向に突出する突起（複数）の一つの高さが正に、家具固定具２０の内部空間幅と少なくとも同じ大きさ（つまり内部空間幅以上）であるであろうこと、は理解されよう。
【００６０】
偏向要素５（横方向に突出する突起４５の形態をなす）は、ストレートな家具固定具２０による、つまり水平方向に導入される家具固定具２０による（このケースは図示せず）誤った始動を防止すべく意図されている。
【００６１】
図６は、キャッチデバイス６の分解斜視図および家具固定具２０の斜視図を示す。バネ１７によってバネ荷重される（付勢される）と共にそれぞれにキャッチ開口１４を備えた２つのキャッチ要素１１及び１１’を見て取ることができる。２つのキャッチ要素は、ガイドプレート１２の両サイドに配置され、安定な構造（構造の安定化）に貢献する。
【００６２】
ガイドプレート１２上に示される３つの偏向要素４，５及び６は、家具固定具２０のピン２３がガイドプレート１２の案内路１６内に正確に導入されない場合に、キャッチ要素１１の誤った始動を防止する。ガイドプレート１２の裏面に設けられた偏向要素７，８及び９は、家具固定具２０のピン２３がガイドプレート１２の案内路１６内に正確に導入されない場合に、キャッチ要素１１’の誤った始動を防止する。
【００６３】
その場合において、ガイドプレート１２の案内路１６の開始位置にはラッチ開口(latching opening)１５が設けられ、そのラッチ開口１５は、固定装置１のロック動作が所望されないときに家具固定具２０のピン２３を受け入れる（受け止める）ために設けられている。その状況は、具体的には、家具固定具２０がキャッチデバイス１０から解放されて待機位置に移動でき、その結果として引き続いてフロントパネルが家具固定具２０と共に引き出し（ここでは図示略）から取り除かれ得る（図８ｃも参照）ときに生じる。
【００６４】
図７ａ〜７ｆをご覧いただくと、図７ａ〜７ｆは、図８ａ〜８ｇに示す新規な固定装置１との違い及び新規な固定装置１の利点を後ほど説明するために、従来技術によるキャッチデバイス１０での家具固定具２０の固定動作を示したものである。
【００６５】
図７ａは、家具固定具２０がキャッチデバイス１０内に未だ導入されておらず、引き出し側壁のフロントエッジ（前側縁）３００の前方にピン２３と共に配置されている状況を示す。従来技術の範疇にあるキャッチデバイス１０はまた、バネ１７によってバネ付勢されると共に家具固定具２０のピン２３をキャッチ及びロックするよう意図されたキャッチ要素（図示略）を有している。
【００６６】
図７ｂでは、家具固定具２０のピン２３は、引き出し側壁のフロントエッジ３００の位置にあり、今まさに、図７ｃに示すように、その導入位置３０２に達するまでキャッチデバイス１０の導入経路内に導入されるところである。従来技術の範疇に属する固定装置１では、その導入位置３０２は、引き出し側壁のフロントエッジ３００に対する間隔Ｃが２０ｍｍを超えるところにある。この具体例では、その距離は２９．８ｍｍである。
【００６７】
引き出し側壁のフロントエッジ３００から導入位置３０２までの導入距離（導入行程）は、２９．８ｍｍである。
【００６８】
キャッチデバイス１０の導入経路内への家具固定具２０のピン２３の更なる前方変位（前方移動）は、ピン２３を、図７ｄに示すような、キャッチ要素１１のど真ん中位置が乗り越えられる始動位置３０３に移動させる。その始動位置３０３は、引き出し側壁のフロントエッジ３００に対する間隔Ｄが２５ｍｍを超えるところにある。この具体例では、その距離は３０．８ｍｍである。
【００６９】
導入位置３０２から始動位置３０３までの始動距離（始動行程）は、１ｍｍである。
【００７０】
図７ｅは、バネ１７がキャッチデバイス１０のキャッチ要素をどのように旋回させて、家具固定具２０のピン２３をキャッチデバイス１０内にその閉鎖位置３０４の所まで引き込むかを示している。その閉鎖位置３０４は、引き出し側壁のフロントエッジ３００に対する間隔Ｅが３０ｍｍを超えるところにある。この具体例では、その距離は３５．８ｍｍである。
【００７１】
始動位置３０３から閉鎖位置３０４までの閉鎖距離（閉鎖行程）は、５ｍｍである。
【００７２】
図７ｆにおいて、家具固定具２０のピン２３はその閉鎖保留位置３０５にあり、閉鎖保留位置は、引き出し側壁のフロントエッジ３００に対する間隔Ｆが３５ｍｍを超えるところにある。この具体例では、その距離は３７．８ｍｍである。
【００７３】
閉鎖位置３０４から閉鎖保留位置３０５までの閉鎖保留距離（閉鎖保留行程）は、２ｍｍである。
【００７４】
図８ａ〜８ｆは、新規な固定装置１における上述の位置及び距離（行程）を示す。
【００７５】
図８ａは、家具固定具２０及び挿入方向に対して横方向に延びるピン２３が未だ引き出し側壁のフロントエッジ２００に到達していない固定装置１を示す。
【００７６】
キャッチデバイス１０にはバネ１７が設けられており、家具固定具２０のピン２３がキャッチ要素１１のキャッチ開口１４内に入ると共にキャッチ要素１１の旋回運動を始動するや否や、バネ１７はレバー機構によりキャッチ要素１１をその回転軸線Ａの周りで旋回させることができる。
【００７７】
キャッチデバイス１０は更にガイドプレート１２を有しており、そのガイドプレート１２は、フロント領域にラッチ開口１５が設けられ且つリヤ領域に家具固定具２０のピン２３用の案内路１６が設けられてなる導入経路を有している。家具固定具２０のこの視角から、フロントパネルに向いた家具固定具２０のリヤ面２５から脚部２１及び２２の自由端２６までの間隔が、フロントパネルに向いた家具固定具２０のリヤ面２５からピン２３までの間隔よりも大きい、ことが再びはっきりと見て取れる（この点に関して図５ａ，５ｂの説明参照）。
【００７８】
図８ｂでは、家具固定具２０のピン２３は、引き出し側壁のフロントエッジ２００の位置にあり、図８ｃに示す次のステップでラッチ開口１５内に挿入される。キャッチデバイス１０のキャッチ要素１１の誤った始動を回避するために、ガイドプレート１２は、家具固定具２０の脚部２１がキャッチデバイス１０のキャッチ要素１１と接触可能となること（このことが誤った始動を引き起こす）を防止するところの横方向に突出する偏向要素４，５及び６を有している。
【００７９】
従って、家具固定具２０は、キャッチデバイス１０内に正確に挿入されて、ラッチ受け入れ手段１５のラッチ位置(latching position)２０１に行くことができる。
【００８０】
ラッチ位置２０１は、引き出し側壁のフロントエッジ２００に対する間隔Ｂが１５ｍｍ未満、好ましくは１０ｍｍ未満のところにあり、この具体例では、その距離は３．８ｍｍである。
【００８１】
引き出し側壁のフロントエッジ２００からラッチ位置２０１までのラッチ距離（ラッチ行程）は、３．８ｍｍである。
【００８２】
図８ｄは、どのようにして家具固定具２０及びそのピン２３が、キャッチデバイス１０の導入経路内に、ピン２３がキャッチデバイス１０のキャッチ要素１１のキャッチ開口１４内にあるがキャッチ要素１１が未だ動かないところの導入位置(introduction position)２０２に達する程度まで前進されるかを示している。
【００８３】
その導入位置２０２は、引き出し側壁のフロントエッジ２００に対する間隔Ｃが２５ｍｍ未満、好ましくは１０ｍｍ未満のところにあり、この具体例では、その距離は４．２ｍｍである。そういった目的で、従来技術の範疇に属し且つ図７ｃに示された固定装置の導入位置と比較するならば、その導入位置は、図８ｄに示されるような本発明の新規な固定装置における場合の約７倍よりも大きい間隔Ｃにあることがわかるであろう。
【００８４】
引き出し側壁のフロントエッジ２００から導入位置２０２までの導入距離（導入行程）は、４．２ｍｍである。従来技術では、その導入距離（導入行程）は３７．８ｍｍだった（図７ｃに関する説明参照）。
【００８５】
図８ｅは、どのようにして家具固定具２０のピン２３が、レバー機構にてキャッチデバイス１０のバネ１７により回転軸線Ａの周りでキャッチ要素１１が旋回され、その結果図８ｆのように家具固定具２０のピン２３をキャッチデバイス１０内に引き込むところの始動位置(triggering position)２０３に配置されるかを示す。
【００８６】
それに関して、始動位置２０３は、引き出し側壁のフロントエッジ２００に対する間隔Ｄが２５ｍｍ未満、好ましくは１０ｍｍ未満のところにあり、この具体例では、その距離は僅か７．４ｍｍである。図７ｄに示したものと比べると、従来技術の範疇に属する固定装置の場合における始動位置は、引き出し側壁のフロントエッジ３００に対して３０ｍｍを超えて間隔を隔てている（間隔Ｄ）。
【００８７】
導入位置２０２から始動位置２０３までの始動距離（始動行程）は、３．２ｍｍである。これとは対照的に、従来技術では、その始動距離（始動行程）は僅か１ｍｍだった（図７ｄの説明参照）。
【００８８】
バネ１７がキャッチ要素１１をその回転軸線Ａの周りで旋回させて家具固定具２０のピン２３をキャッチデバイス１０内に引き込んだ後で、ピン２３は閉鎖位置(closure position)２０４になる。その閉鎖位置においてピン２３は、引き出し側壁のフロントエッジ２００に対する間隔Ｅが３０ｍｍ未満、好ましくは２０ｍｍ未満のところにある。この具体例では、その距離は僅か１４．６ｍｍである。図７ｅに示した、従来技術の範疇に属する固定装置の閉鎖位置３０４と比較するならば、この間隔Ｅが、本発明の固定装置１におけるものよりも２０ｍｍを超えて大きいことがわかるであろう。
【００８９】
始動位置２０３から閉鎖位置２０４までの閉鎖距離（閉鎖行程）は、７．２ｍｍである。これとは対照的に、従来技術では、その閉鎖距離（閉鎖行程）は５ｍｍだった（図７ｅの説明参照）。
【００９０】
図８ｇは、家具固定具２０のピン２３が引き出し側壁のフロントエッジ２００に対する間隔Ｆのところにある閉鎖保留位置(closure reserve position)２０５であって、その間隔Ｆが３０ｍｍ未満、好ましくは２０ｍｍ未満であるところの閉鎖保留位置２０５を示す。この具体例においてそれは正確に１５ｍｍであり、その値は、従来技術の範疇に即する固定装置が要求する値の半分よりも小さい（図７ｆの説明参照、そこでの間隔Ｆは３７．８ｍｍ）。閉鎖保留(closure reserve)は、寸法公差（許容差）を補償することができるように役立つ（機能する）。
【００９１】
閉鎖位置２０４から閉鎖保留位置２０５までの閉鎖保留距離（閉鎖保留行程）は０．４ｍｍである。これとは対照的に、従来技術では、その閉鎖保留距離（閉鎖保留行程）は２ｍｍだった（図７ｆの説明参照）。
【００９２】
このことは、本発明の固定装置１が従来技術の範疇に属する固定装置よりもずっとコンパクトであることを意味する。
【符号の説明】
【００９３】
図７ａ〜７ｆにおける「Ｓｔａｎｄ  ｄｅｒ  Ｔｅｃｈｎｉｋ」とは、「従来例」を意味する。
【図１ａ】
0005860971.tif 000002
【図１ｂ】
0005860971.tif 000003
【図２ａ】
0005860971.tif 000004
【図２ｂ】
0005860971.tif 000005
【図３ａ】
0005860971.tif 000006
【図３ｂ】
0005860971.tif 000007
【図４ａ】
0005860971.tif 000008
【図４ｂ】
0005860971.tif 000009
【図５ａ】
0005860971.tif 000010
【図５ｂ】
0005860971.tif 000011
【図６】
0005860971.tif 000012
【図７ａ−７ｂ】
0005860971.tif 000013
【図７ｃ−７ｄ】
0005860971.tif 000014
【図７ｅ−７ｆ】
0005860971.tif 000015
【図８ａ】
0005860971.tif 000016
【図８ｂ】
0005860971.tif 000017
【図８ｃ】
0005860971.tif 000018
【図８ｄ】
0005860971.tif 000019
【図８ｅ】
0005860971.tif 000020
【図８ｆ】
0005860971.tif 000021
【図８ｇ】
0005860971.tif 000022